(57)【要約】      （修正有）【課題】トイレ等の排水口の詰まりを吸引により連通させる吸引具にあって、柄の部分を２分割して吸引具とし、さらに、分割後の部品についてその紛失を避けると共に見栄えよく収納するための補助具を提供する。【解決手段】カップ部１１と、前記カップ部１１から延びる上下２本の柄１２ａ，１２ｂと、前記２本の柄を分離および再結合させる連結具２を有することを特徴として分割収納可能な吸引具とする。分離状態の２本の柄を束ねる束ね具３３を設けることもできる。前記連結具２は、前記上側の柄の下端部および前記下側の柄の上端部にスライド可能に密着する円筒であり、この円筒の長手方向中間に位置するストッパリングに２本の柄が接している。【選択図】図３
0003180672.tif 000002
【実用新案登録請求の範囲】
【請求項１】
カップ部（１１）と、前記カップ部（１１）から延びる上下２本の柄（１２ａ，１２ｂ）と、前記２本の柄を分離および再結合させる連結具（２）を有することを特徴とする分割収納可能な吸引具（１）。
【請求項２】
カップ部（１１）と、前記カップ部（１１）から延びる上下２本の柄（１２ａ，１２ｂ）と、前記２本の柄を分離および再結合させる連結具（２）と、分離状態の２本の柄を束ねる束ね具（３３）を有することを特徴とする分割収納可能な吸引具（１）。
【請求項３】
前記連結具（２）は、前記上側の柄の下端部および前記下側の柄の上端部にスライド可能に密着する円筒であり、この円筒の長手方向中間に位置するストッパリング（２１）に２本の柄が接している請求項１または２記載の吸引具。
【請求項４】
前記ストッパリング（２１）よりも下側の下側連結部は前記下側の柄に固定され、ストッパリング（２１）より上の上側連結部（２４）は下側の柄１２ａの延長部を形成し、上側の柄（１２ｂ）が上側連結部（２４）に対して挿入およびスライド可能である請求項３記載の吸引具。
【請求項５】
上側連結部（２４）と上側の柄（１２ｂ）の固定及び位置決め機構が設けられている請求項３または４記載の吸引具。
【請求項６】
前記固定及び位置決め機構として、上側連結部（２４）と上側の柄（１２ｂ）の双方に設けた貫通孔と、前記貫通孔にはめ込み可能な突起（２９）を有する固定化部材（２８）の組み合わせとした請求項５記載の吸引具。
【請求項７】
前記固定化部材（２８）の突起（２９）と、上側連結部（２４）と上側の柄（１２ｂ）の双方の貫通孔（２５，２７）の位置合わせの目安のために、上側連結部（２４）の最上部に切り込み（３０）が設けられ、上側の柄（１２ｂ）には小突起（３１）が設けられている請求項６記載の吸引具。
【請求項８】
前記束ね具（３３）が、前記柄（１２ａ，１２ｂ）の収容部となる半筒部（３４）を２個とこれらの半筒部（３４）をつなぐ接続部（３５）からなるものである請求項２記載の吸引具。
【考案の詳細な説明】
【技術分野】
【０００１】
本考案は、トイレや浴室、キッチンの排水口等の詰まりを吸引により連通させる吸引具（「詰まり取り」ともいう）に関するものであり、特にその柄の部分が２分割可能なものに関する。
【背景技術】
【０００２】
本出願人はかつて特開2005-80805としてトイレ用吸引具を提案したことがある。これは、収納ケースによりカップ先端を包み込むと共に、この部分を基礎にして自立させることができるもので、トイレ内やキッチン等の片隅であっても設置することができるようにしたものである。
【考案の概要】
【考案が解決しようとする課題】
【０００３】
前記従来技術では、販売店での販売時や使用者の使用後収納時に、吸引具の長い柄が障害となって、販売店の棚に陳列できなかったり、家庭の収納ボックスに入れられなかったりすることがあった。
【０００４】
本考案はこの問題を解決することを目的として、柄の部分を２分割した吸引具を提供することを目的とする。さらに、分割後の部品についてその紛失を避けると共に見栄えよく収納するための補助具を提供することを目的とする。
【課題を解決するための手段】
【０００５】
本考案の分割収納可能な吸引具は、カップ部と、前記カップ部から延びる上下２本の柄と、前記２本の柄を分離および再結合させる連結具を有することを特徴とする（請求項１）。
【０００６】
別の観点では、本考案の分割収納可能な吸引具は、カップ部と、前記カップ部から延びる上下２本の柄と、前記２本の柄を分離および再結合させる連結具と、分離状態の２本の柄を束ねる束ね具を有することを特徴とする（請求項２）。
【０００７】
好ましくは、前記連結具は、前記上側の柄の下端部および前記下側の柄の上端部にスライド可能に密着する円筒であり、この円筒の長手方向中間に位置するストッパリングに２本の柄が接している（請求項３）。
【０００８】
好ましくは、前記ストッパリングよりも下側の下側連結部は前記下側の柄に固定され、ストッパリングより上の上側連結部は下側の柄の延長部を形成し、上側の柄が上側連結部に対して挿入およびスライド可能である（請求項４）。
【０００９】
好ましくは、上側連結部と上側の柄の固定及び位置決め機構が設けられている（請求項５）。
【００１０】
前記固定及び位置決め機構として、上側連結部と上側の柄の双方に設けた貫通孔と、前記貫通孔にはめ込み可能な突起を有する固定化部材の組み合わせとすることができる（請求項６）。
【００１１】
さらに好ましくは、前記固定化部材の突起と、上側連結部と上側の柄の双方の貫通孔の位置合わせの目安のために、上側連結部の最上部に切り込みが設けられ、上側の柄には小突起が設けられている（請求項７）。
【考案の効果】
【００１２】
本考案請求項１によれば、吸引具の柄は上下２本に分離可能なので、全長が約半分になる。その結果、販売店での販売時や使用者の使用後収納時に、高さ制限のある棚にも陳列可能となり、家庭の収納ボックスにも収容可能となる。
【００１３】
本考案請求項２によれば、分割後の部品についてその紛失を避けると共に見栄えよく収納することができる。
【００１４】
本考案請求項３ないし７によれば、上下２本の柄の好ましい形態の連結具が得られる。
【図面の簡単な説明】
【００１５】
【図１】本考案実施例の吸引具の全体斜視図である。
【図２】図１の吸引具を２分割した状態の斜視図である。
【図３】図１の吸引具を２分割した後、補助具を使用して分割後の部品を整理整頓した状態の斜視図である。
【図４】連結部の平面図である。
【図５】連結部の底面図である。
【図６】図１の吸引具の正面図である。
【図７】図４の吸引具のＡ−Ａ断面図である。
【図８】図４の吸引具のＢ−Ｂ断面図である。
【図９】図７の吸引具のＤ−Ｄ、Ｅ−Ｅ部分拡大図である。
【図１０】図７の吸引具のＦ−Ｆ、Ｇ−Ｇ部分拡大図である。
【図１１】図４の吸引具のＣ−Ｃ線端面拡大図である。
【図１２】図４の吸引具のＣ−Ｃ線端面拡大図の留め具を外した状態を示す横断面図である。
【図１３】本考案実施例で使用する補助具の（ａ）平面図、（ｂ）側面図である。
【考案を実施するための形態】
【００１６】
以下、添付の図面に基づいて、本考案の実施例を説明する。
【実施例１】
【００１７】
図１は、本考案実施例の吸引具１の全体斜視図である。この吸引具１は、先端のカップ部１１と、中間の柄１２ａ、１２ｂと、後端の握り部１３からなる。
【００１８】
先端のカップ部１１は、全体が弾力性のあるゴム製であり、中空半球状部１４（図６）と、その先端に設けられた、先細の円筒状部１５（図６）からなる。周知のように、配管等の詰まりを除去して連通させるための吸引力は、この先端ゴム製円筒状部を排水口などに当てて柄を前後させ、中空半球状部を収縮させることにより生まれる。
【００１９】
中間の柄１２ａ，１２ｂは、長さ２０〜５０ｃｍ、太さ約２ｃｍの細長い円筒であり、塩化ビニルなどの合成樹脂又は金属で製作される。円筒には断面十字型の補強部材２２（図１１、図１２）を設けるのが好ましい。図２に示すように、柄は連結部２において下側１２ａ（カップ１１側）および上側１２ｂ（握り部１３側）に２分割可能であるとともに再結合が可能である。
【００２０】
後端の握り部１３は、吸引具１を前後させるときに力を込めやすくするために柄の後端に連続して取り付けられている。柄が２分割されたときには上側の柄１２ｂと共に下側の柄１２ａから分離される。
【００２１】
以下、柄の２分割および再結合の仕組みについて、図２〜１３に基づき詳述する。
【００２２】
連結部２は図４、図５、図７〜１０に示すように、円筒形であり、その内径は柄の先端側および後端側外径とほぼ等しく、柄１２ａ，１２ｂに対して密着可能である。
【００２３】
図９、図１０、図１１にもっともよく示されているように、連結部２は長手方向中間でストッパリング２１が一体的に形成されている。このストッパリング２１が下側の柄１２ａの最上部端面および上側の柄１２ｂの最下部端面と接する。
【００２４】
ストッパリング２１より下の下側連結部２３は、通常、紛失防止のため、下側の柄１２ａの後端部に接着剤などで固定されている。ストッパリング２１より上の上側連結部２４は下側の柄１２ａの延長部を形成し、上側の柄１２ｂが上側連結部２４に対して挿入およびスライド可能である。
【００２５】
上側連結部２４と上側の柄１２ｂの固定及び位置決めのために、上側の柄１２ｂの表面には貫通孔２５が２カ所設けられ、上側連結部２４には円周の２/３程度を占める浅溝２６が形成されている。この浅溝２６にも貫通孔２７が２カ所設けられている。これらの貫通孔２５，２７に対して、図２、図１１に示す固定化部材２８がはめ込み可能である。固定化部材２８は湾曲した弾性体で、両端に内側に向かう突起２９が形成されている。これらの突起２９が前記貫通孔２５，２７を貫くのである。
【００２６】
固定化部材２８の突起２９と、上側連結部２４と上側の柄１２ｂの貫通孔２５，２７の位置合わせの目安のために、図２に示すように、上側連結部２４の最上部に切り込み３０が設けられ、上側の柄１２ｂには小突起３１が設けられている。この切り込み３０に小突起３１をはめることにより、安定的に位置設定が行われる。位置合わせが目的であるから、この小突起３１の代わりに、平面的な目印シールを使用することもできる。
【００２７】
柄を２分割するときには、固定化部材２８を外さなければならないが、そのときのために前記浅溝２６に指が入る挿入空間３２が設けられている。ここに指を入れ、固定化部材２８をその弾性力に抗して持ち上げると浅溝２６から外すことができる。
【００２８】
柄を２分割したとき、外した上側の柄１２ｂと握り部１３を放置すると、紛失したり、汚れたりしやすい。この外した部分を吸引具１に付属させるために、本考案では束ね具３３を使用する。
【００２９】
束ね具３３は、全体が図２に示され、平面図が図１３（ａ）に、側面図が図１３（ｂ）に示されている。柄１２ａ，１２ｂの収容部となる半筒部３４を２個とこれらの半筒部３４をつなぐ接続部３５からなる。半筒部３４は弾性体で形成し、柄の出し入れと保持を容易にしている。接続部３５には開口部３６を設けて壁のフック（図示せず）などに吊るすことができる。
【先行技術文献】
【特許文献】
【００３０】
【特許文献１】特開2005-80805公報
【符号の説明】
【００３１】
１     吸引具
１１   カップ部
１２ａ  下側の柄
１２ｂ  上側の柄
１３   握り部
１４   中空半球状部
１５   円筒状部
２     連結部
２１   ストッパリング
２２   補強部材
２３   下側連結部
２４   上側連結部
２５   貫通孔
２６   浅溝
２７   貫通孔
２８   固定化部材
２９   突起
３０  切り込み
３１   小突起
３２   挿入空間
３３   束ね具
３４   半筒部
３５   接続部
３６   開口部
【図１】
0003180672.tif 000003
【図２】
0003180672.tif 000004
【図３】
0003180672.tif 000005
【図４】
0003180672.tif 000006
【図５】
0003180672.tif 000007
【図６】
0003180672.tif 000008
【図７】
0003180672.tif 000009
【図８】
0003180672.tif 000010
【図９】
0003180672.tif 000011
【図１０】
0003180672.tif 000012
【図１１】
0003180672.tif 000013
【図１２】
0003180672.tif 000014
【図１３】
0003180672.tif 000015